(57)【要約】【課題】使用者のニーズに合わせて容易に設計が可能な間仕切り壁を提供する。【解決手段】  縦枠材２と横枠材３により矩形枠状に形成され、前記縦枠材２と前記横枠材３により囲まれた内部空間Sの前後の境界に相当する位置に２つの開口部Ａを有するフレーム１と、前記縦枠材２の内側面の縦方向に所定間隔で形成された内ねじ８に着脱自在に固定されるパネル受部材９と、該パネル受部材９に着脱自在に係合可能な係合片１３が裏面に設けられた前記開口部Ａを閉鎖するためのパネル１０と、を備える間仕切り壁１１。【選択図】図２
2010196427.tif 000002
【特許請求の範囲】
【請求項１】
縦枠材と横枠材により矩形枠状に形成されたフレームの内部空間の前後の境界に相当する位置に２つの開口部を有する間仕切り壁のフレーム構造であって、
前記縦枠材の内側面の縦方向には、所定間隔で内ねじが形成されていることを特徴とする間仕切り壁のフレーム構造。
【請求項２】
前記内ねじに着脱自在に固定され、且つ、前記開口部を閉鎖するパネルを着脱自在に係合するパネル受部材が備えられていることを特徴とする請求項１記載の間仕切り壁のフレーム構造。
【請求項３】
前記内ねじに着脱自在に固定され、且つ、前記少なくとも一方の開口部に対して開閉自在な扉を取り付けるヒンジ部材が備えられていることを特徴とする請求項１又は２記載の間仕切り壁のフレーム構造。
【請求項４】
前記内ねじに着脱自在に固定され、且つ、前記内部空間の上下を仕切る棚板を支持する支持部材が備えられていることを特徴とする請求項１乃至３のいずれかに記載の間仕切り壁のフレーム構造。
【請求項５】
縦枠材と横枠材により矩形枠状に形成され、前記縦枠材と前記横枠材により囲まれた内部空間の前後の境界に相当する位置に２つの開口部を有するフレームと、前記縦枠材の内側面の縦方向に所定間隔で形成された内ねじに着脱自在に固定されるパネル受部材と、該パネル受部材に着脱自在に係合可能な係合片が裏面に設けられた前記開口部を閉鎖するためのパネルと、を備えることを特徴とする間仕切り壁。
【請求項６】
前記内ねじに着脱自在に固定されるヒンジ部材と、該ヒンジ部材を介して前記一方の開口部を開閉自在とする扉と、を備えることを特徴とする請求項５記載の間仕切り壁。
【請求項７】
前記フレームの内部空間の上下を仕切る棚板と、前記内ねじに着脱自在に固定され、前記棚板を支持する支持部材と、を備えることを特徴とする請求項５又は６記載の間仕切り壁。
【請求項８】
前記フレームの内部空間を収納空間とすることを特徴とする請求項５乃至７のいずれかに記載の間仕切り壁。
【発明の詳細な説明】
【技術分野】
【０００１】
本発明は、間仕切り壁の設計を簡易化することができる間仕切り壁のフレーム構造及び間仕切り壁に関する。
【背景技術】
【０００２】
従来から、建物内の室内空間を仕切るために間仕切り壁を利用することは良く知られている。近年では、室内空間を使用者のスタイルに合わせて柔軟に対応するための内装システムが求められている。そして、そのような内装システムを構築するに際して、室内空間を使用者の使用状況に応じて仕切ることができる可動間仕切り壁が利用されている。また、間仕切り壁の内部を収納空間として利用し、パネルの代わりに開閉自在の扉を設けたもの等がある（例えば、特許文献１参照）。このような間仕切り壁では、室内空間を仕切る機能に加えて、収納機能も備えているので、室内空間を有効に活用できる。
【先行技術文献】
【特許文献】
【０００３】
【特許文献１】特開２００１−５９２９６号公報
【発明の開示】
【発明が解決しようとする課題】
【０００４】
しかしながら、上記のような従来の可動間仕切り壁では、枠体からなるフレームとこのフレームの前後両側にパネルが一体として形成されているものがほとんどであった。また、特許文献１のように内部に収納空間が設けられた間仕切り壁においても、扉等の取付構造は予め決まっている。そのため、間仕切り壁を使用者のニーズに合わせて設計変更することは困難であった。また、特許文献１のように収納空間を設けた間仕切り壁と通常の間仕切り壁の構造は異なっているため、設計を共通化することができなかった。
【０００５】
本発明は上記のような種々の課題に鑑みてなされたものであって、使用者のニーズに合わせて容易に設計が可能な間仕切り壁のフレーム構造及び間仕切り壁を提供することを目的とする。また、間仕切り壁を収納として利用する場合にも共通の設計で構成可能な間仕切り壁のフレーム構造及び間仕切り壁を提供することを目的とする。
【課題を解決するための手段】
【０００６】
上記目的を達成するために、請求項１記載の間仕切り壁のフレーム構造では、縦枠材と横枠材により矩形枠状に形成されたフレームの内部空間の前後の境界に相当する位置に２つの開口部を有する間仕切り壁のフレーム構造であって、前記縦枠材の内側面の縦方向には、所定間隔で内ねじが形成されていることを特徴としている。
【０００７】
請求項２記載の間仕切り壁のフレーム構造では、請求項１記載の間仕切り壁のフレーム構造において、前記内ねじに着脱自在に固定され、且つ、前記開口部を閉鎖するパネルを着脱自在に係合するパネル受部材が備えられていることを特徴としている。
【０００８】
請求項３記載の間仕切り壁のフレーム構造では、請求項１又は２記載の間仕切り壁のフレーム構造において、前記内ねじに着脱自在に固定され、且つ、前記少なくとも一方の開口部に対して開閉自在に扉を取り付けるヒンジ部材が備えられていることを特徴としている。
【０００９】
請求項４記載の間仕切り壁のフレーム構造では、請求項１乃至３のいずれか記載の間仕切り壁のフレーム構造において、前記内ねじに着脱自在に固定され、且つ、前記内部空間の上下を仕切る棚板を支持する支持部材が備えられていることを特徴としている。
【００１０】
請求項５記載の間仕切り壁では、縦枠材と横枠材により矩形枠状に形成され、前記縦枠材と前記横枠材により囲まれた内部空間の前後の境界に相当する位置に２つの開口部を有するフレームと、前記縦枠材の縦方向に所定間隔で形成された内ねじに着脱自在に固定されるパネル受部材と、該パネル受部材に着脱自在に係合可能な係合片が裏面に設けられた前記開口部を閉鎖するためのパネルと、を備えることを特徴としている。
【００１１】
請求項６記載の間仕切り壁では、請求項５記載の間仕切り壁において、前記内ねじに着脱自在に固定されるヒンジ部材と、該ヒンジ部材を介して前記一方の開口部を開閉自在とする扉と、を備えることを特徴としている。
【００１２】
請求項７記載の間仕切り壁では、請求項５又は６記載の間仕切り壁において、前記フレームの内部空間の上下を仕切る棚板と、前記内ねじに着脱自在に固定され、前記棚板を支持する支持部材と、を備えることを特徴としている。
【００１３】
請求項８記載の間仕切り壁では、請求項５乃至６のいずれかに記載の間仕切り壁において、前記フレームの内部空間を収納空間とすることを特徴としている。
【発明の効果】
【００１４】
請求項１記載の間仕切り壁のフレーム構造によれば、縦枠材の縦方向に所定間隔で内ねじが形成されているので、必要な部材を前記内ねじに固定することにより、使用者のニーズに応じた柔軟な設計が可能になる。また、内ねじに必要な部材を繰り返し着脱することができるので、容易に設計を変更することが可能である。
【００１５】
請求項２記載の間仕切り壁のフレーム構造によれば、パネル受部材を内ねじに着脱自在に固定することができるので、該パネル受部材の固定位置を変更することにより、容易にパネルの割付を変更することが可能である。また、パネル受部材によりパネルを着脱自在に係合することができるので、間仕切り壁の設計を簡易化することができるとともに、設計変更等にも柔軟に対応することができる。
【００１６】
請求項３記載の間仕切り壁のフレーム構造によれば、内ねじに固定可能であり、扉を開閉自在に取り付けることができるヒンジ部材が備えられているので、間仕切り壁の内部を収納空間として利用する場合に、必要に応じた位置に容易に扉を取り付けることができる。
【００１７】
請求項４記載の間仕切り壁のフレーム構造によれば、内ねじに固定可能な支持部材が備えられているので、該支持部材の取付位置を調整することにより、内部空間の上下の仕切りを使用者のニーズに合わせて容易に変更することができる。
【００１８】
請求項５記載の間仕切り壁によれば、容易にパネルを着脱することができるので、メンテナンスや設計変更を効率良く行うことができる。また、パネル受部材の固定位置を調節することにより、容易にパネルの割付を変更することができる。
【００１９】
請求項６記載の間仕切り壁によれば、ヒンジ部材の固定位置を調節することにより、必要に応じた位置に容易に扉を取り付けることができる。
【００２０】
請求項７記載の間仕切り壁によれば、支持部材の固定位置を調節することにより、内部空間の上下の仕切りを必要に応じて容易に変更することができる。
【００２１】
請求項８記載の間仕切り壁によれば、内部に収納空間を設けた間仕切り壁を共通の設計で構成することができるので、設計の効率を向上させることができるとともに、有効にスペースを活用することができる。
【図面の簡単な説明】
【００２２】
【図１】本発明に係る間仕切り壁のフレーム構造の一例を示す概略斜視図である。
【図２】本発明に係る間仕切り壁の一例を示す概略斜視図である。
【図３】本発明に係る間仕切り壁の内側の構造の一例を示す概略断面図である。
【図４】パネル受部材を示す概略斜視図である。
【図５】パネルの裏面を示す概略背面図であって、（ａ）は、長尺な係合片が裏面に設けられたパネルを示しており、（ｂ）は、裏面の幅方向両端に係合片が設けられたパネルを示している。
【図６】本発明に係る間仕切り壁の他の例を示す概略正面図であって、（ａ）は、パネルを縦割に配置した場合を示しており、（ｂ）は、パネルを３枚割に配置した場合を示している。
【図７】本発明に係る間仕切り壁のフレームの連結構造を示す概略平面断面図である。
【図８】本発明に係る間仕切り壁の更に他の一例を示す概略平面断面図である。
【図９】本発明に係る間仕切り壁における扉の取付構造を示す一部拡大断面図である。
【発明を実施するための形態】
【００２３】
以下に本発明に係る間仕切り壁のフレーム１の構造及び該フレーム１を用いた間仕切り壁１１について、各図面を用いて説明する。本発明に係るフレーム１の構造は、図１，２に示すように、縦枠材２と横枠材３により矩形枠状に枠組みされて形成されており、その前後両側に開口部Ａを有している。
【００２４】
図２に示すように、フレーム１は、その下端側が床面に設けられたメカニカルファスナ４等により固定されて設置される。また、メカニカルファスナ４の代わりに、フレーム１の下端側を床ランナー（不図示）に取り付けるような構成にすることも可能である。フレーム１の上端の前後両側には、図３に示すように、天井スペーサー５が設けられている。また、縦枠材２の上方に位置する横枠材３は、３つの分割横枠材３ａからなり、そのうち中央に位置する横枠材３ａの高さを調整できるように調整アジャスター６が縦枠材２の内側面に取り付けられている。この調整アジャスター６及び前記天井スペーサー５によりフレーム１と天井７との間の間隔が調整され、すなわち、床面と天井との距離とフレーム１の高さが不均一であっても合致するように調整された後、フレーム１は天井７にビス等により固定される。
【００２５】
また、縦枠材２の下方には、配線Ｘを通すための配線孔Ｂが形成されている。縦枠材２の内側面には、その縦方向全域に渡って所定間隔で内ねじ８が形成されている。この内ねじ８は、縦枠材２の前後方向において同じ高さに１箇所ずつ形成されている。該内ねじ８は、例えば、ヘリサート加工等により予め形成されている。また、内ねじ８の縦方向の間隔は、多様な設計変更に対応できるように形成されることが好ましく、例えば、３２ｍｍ間隔に形成したもの等を用いる。
【００２６】
更に、この内ねじ８には、図２，３に示すように、パネル受金具（パネル受部材）９が取り付けられるようになっており、このパネル受金具９によりパネル１０は、フレーム１の内部空間Ｓの前後の境界に相当する位置にある２つの開口部Ａを閉鎖するように取り付けられることにより間仕切り壁１１が構成される。
【００２７】
前記パネル受金具９は、図４に示すように、Ｌ字状に形成されており、一方の片９ａには内ねじ８の縦方向の間隔と同じ間隔を有して上下２箇所に貫通孔９ｂが形成されている。この一方の片９ａを縦枠材２の内側面に当接させ、内ねじ８と貫通孔９ｂを合わせて、小ねじ１２を挿通して内ねじ８に螺合させることにより、パネル受金具９は固定される。また、パネル受金具９の他方の片９ｃは、フレーム１の前側又は後側に面しており、その下端部には、フック状に形成された引掛片９ｄを有している。
【００２８】
前記パネル１０は、図２，３に示すように、長方形状に形成された面材であって、その裏面には、パネル受金具９の引掛片９ｄと着脱自在に係合する係合片１３が設けられている。該係合片１３は、図３に示すように、その下端部１３ａがパネル１０の裏面から離れるように若干折り曲がって形成されているので、該下端部１３ａは容易に引掛片９ｄに係合して、フレーム１に取り付けられる。また、パネル１０をフレーム１から取外す場合には、パネル１０を持ち上げて、パネル受金具９の引掛部９ｄと係合片１３との係合を解除するだけでよい。尚、係合片１３としては、図５の（ａ）に示すように、パネル１０の裏面の幅方向全域に渡る長尺なものを用いる他、図５の（ｂ）のように、幅方向の両端にそれぞれ短尺な係合片１３を設ける等としても良い。
【００２９】
また、図３，５に示すように、パネル１０の上端の裏面側には、若干の深さの段差１４がパネル１０の幅方向全域に渡って設けられ、パネル１０の下端の裏面側にはパネル１０の幅方向全域に渡って突部１５が形成されている。そして、パネル１０をパネル受金具９を介してフレーム１に取り付けた際には、図３に示すように縦方向にそれぞれ隣接するパネル１０では、上方側のパネル１０の突部１５が、下方側のパネル１０の段差１４にフレーム１方向へ押圧された状態になる。そのため、係合片１３がパネル１０裏面の上方側にしか設けられていない場合であっても、パネル１０の下方側が前後方向へ振動するのを防止することができる。また、図３，５に示すように、パネル１０の裏面の下方側には、上記のようにパネル１０がフレーム１に取り付けられた際に、パネル１０の揺れや衝撃を防止するための軟質性の揺れ防止部材１６が設けられている。
【００３０】
更に、図２，３に示すようにフレーム１の内部には、棚板１７を備えることができる。棚板１７は、２つの縦枠材２間の距離と略等しい幅に形成されており、縦枠材２の内側に取り付けられているダボ材（支持部材）１８により支持されている。ダボ材１８は、一端が内ねじ８に取り付けられ、他端が、図３に示すように、棚板１７の裏面の幅方向端部に形成された切欠部１７ａに嵌合するように形成されている。
【００３１】
図２に示す間仕切り壁１１では、フレーム１の一方の開口部Ａを閉鎖するように、パネル１０を縦方向に６枚並べて取り付けている６枚割の例を示しているが、パネル１０の割付は、上記構成に限定されるものではなく、図６（ａ）に示すように、縦長に形成されているパネル１０ａを縦割に配置したり、図６（ｂ）に示すように、パネル１０ｂを３枚割にする等、種々のパネルの組み合わせができる。
【００３２】
このような割付に変更する際も、本発明に係るフレーム１の構造によれば、縦枠材２の縦方向に所定間隔で内ねじ８が形成されているので、パネル受金具９を内ねじ８に固定する位置をパネル１０の大きさに合わせて調整することにより、容易に変更することができる。また、パネル受金具９及びダボ１８は、同じ位置にも繰り返し着脱させることができる。これにより、使用目的に応じて、使用者は、自由に棚板１７等の位置を何度でも変更することができる。また、パネル１０は、パネル受金具９に係合させて取り付けられているので、容易にフレーム１から着脱することができ、間仕切り壁１１の設計やメンテナンスを効率良く行うことができる。また、フレーム１同士を横に並べて連結させる際には、図７に示すように、隣接する縦枠材２を蝶ねじ１９等を用いることにより連結固定しても良い。
【００３３】
本発明の他の実施形態における間仕切り壁１１ａは、図８に示すように、フレーム１ａの内部空間Ｓを収納空間として利用するために、フレーム１の前後方向の幅、すなわち、縦枠材２ａの幅を長く形成したものであり、一方の開口部Ａ側には、パネル１０の代わりに、扉２０が設けられている。そして、この扉２０は、この縦枠材２ａに形成された内ねじ８に着脱自在に固定されている扉用のスライドヒンジ２１を介して、開口部Ａを開閉自在とするように縦枠材２ａに取り付けられる。
【００３４】
図９に示すように、スライドヒンジ２１では、座金部２１aに縦枠材２aに形成されている内ねじ８の縦方向の間隔と同じ間隔を有して貫通孔が形成されており、この貫通孔と内ねじ８を合わせた状態でねじ１２で螺着されている。また、扉２０側では、スライドヒンジ２１のカップ部２１ｂが扉２０の内面側に埋設されて固定されている。
【００３５】
この間仕切り壁１１ａのように、収納としても利用する際には、図８に示すように、縦枠材２ａが収納の側板として利用されるので、スペースを有効に活用することができる。また、間仕切り壁１１ａ内の収納空間Ｓを上下に複数設けるために、図９に示すように、棚板１７を複数設けるように構成しても良い。尚、図８では、前後方向の幅が長いフレーム１ａに扉２０を設けた例を用いて説明したが、前後方向の幅が短いフレーム１の縦枠材２に形成されている内ねじ８にもスライドヒンジ２１を取り付けることにより、扉２０を開閉自在に取り付けることは当然可能である。また、図８に示す間仕切り壁１１ａでは、それぞれの縦枠材２ａに扉２０をそれぞれ取り付けた観音開き式の例を示しているが、扉２０の一方側を縦枠材２ａにスライドヒンジ２１を介して取り付けることにより片開き式にすることも可能である。また、図８では、フレーム１ａの一方の開口部Ａに扉２０を設けた例について説明したが、フレーム１ａの前後両側の開口部Ａに扉２０を設けた構成にすることも可能である。
【００３６】
本発明に係るフレーム１の構造によれば、縦枠材２の縦方向に所定間隔で形成された内ねじ８にパネル受金具９、ダボ材１８、又はスライドヒンジ２０を着脱自在なねじ等を用いて固定することにより、必要な位置に適宜取り付けることができるので、使用者のニーズに応じて、間仕切り壁１１の設計を容易に変更することができ、使用者の使い勝手が良くなる。また、間仕切り壁１１を収納として利用する際も、縦枠材２に形成されている内ねじ８を利用することにより、共通の設計基準で間仕切り壁を構成することができるので、作業を効率化することができるとともに、必要となる部品も共通化できるので、経済的である。
【符号の説明】
【００３７】
１，１ａ                        フレーム
２，２ａ                        縦枠材
３                              横枠材
８                              内ねじ
９                              パネル受金具（パネル受部材）
１０，１０ａ，１０ｂ            パネル
１１，１１ａ                    間仕切り壁
１３                            係合片
１７                            棚板
１８                            ダボ材（支持部材）
２０                            扉
２１                            スライドヒンジ（ヒンジ部材）
Ａ                              開口部
Ｓ                              内部空間（収納空間）
【図１】
2010196427.tif 000003
【図２】
2010196427.tif 000004
【図３】
2010196427.tif 000005
【図４】
2010196427.tif 000006
【図５】
2010196427.tif 000007
【図６】
2010196427.tif 000008
【図７】
2010196427.tif 000009
【図８】
2010196427.tif 000010
【図９】
2010196427.tif 000011